(57)【特許請求の範囲】
【請求項１】
キャップ刃及びシート刃を有し、前記両刃が間に配置された可撓性キャップ部分及び可撓性シート部分を有する２枚刃の湿式ひげそり用可撓性カミソリユニットからひげそりくずを除去し、前記両刃の各々は、ひげそり用の切断縁を有し、前記カミソリユニットは前記切断縁に平行な方向の中央に固定された固定ポスト（34'）を有する、ワンプッシュ型クリーニング装置（20）であって、該クリーニング装置は、
前記両刃と重なり、付勢位置と非付勢位置との間で作動可能なエジェクタバーであって、前記付勢位置は、前記エジェクタバーが前記キャップ刃の切断縁の前方に前進する位置であり、前記非付勢位置は、前記キャップ刃の前記切断縁の後方に引っ込む位置であるエジェクタバー（52）と、
前記バーを前進させて前記くずを放出するために使用者によって作動可能なようにエジェクタバーに固定されているアクチュエータ（54）と、
前記カミソリユニットに連結され、カミソリユニットがたわむ間に前記両刃の切断縁に平行な方向のずれ動きに適応するように形成され、前記両刃を互いに隔離する安定化組立体部分（46）とを有し、
前記エジェクタバー、前記アクチュエータ及び前記安定化組立体部分は、前記中央に固定された固定ポストに阻げられることなく前記エジェクタバーが動き得るように形成され、
前記アクチュエータは、前記エジェクタバーと一体的に形成され、かつ、前記固定ポストを受けるために前記刃の切断縁にほぼ直角な方向に伸びて中央に配置されたスロット（60）を有する、クリーニング装置。
【請求項２】
前記安定化組立体は、一対の対向する本体部分を有する請求項１に記載のクリーニング装置。
【請求項３】
前記ひげそりくずを放出した後に、前記エジェクタバーを前記非付勢位置に戻すために、前記エジェクタバーと前記安定化組立体部分とを弾性的に接続する接続装置を有する請求項１に記載のクリーニング装置。
【請求項４】
前記接続装置は、一対の作動戻り部材を有する請求項３に記載のクリーニング装置。
【請求項５】
前記作動戻り部材の本体は、作動中前記作動戻り部材に生じる応力を小さくするためにドッグレッグ形状を有する請求項４に記載のクリーニング装置。
【請求項６】
１つの前記作動戻り部材の一端は１つの前記本体部分に接続されており、前記１つの前記作動戻り部材の他端は前記エジェクタバーに接続されている請求項４に記載のクリーニング装置。
【請求項７】
前記１つの前記作動戻り部材の他端は、前記アクチュエータが前記エジェクタバーに接続している場所に近い場所で前記エジェクタバーに接続されている請求項６に記載のクリーニング装置。
【請求項８】
前記１つの前記作動戻り部材の他端は、前記アクチュエータが前記エジェクタバーに接続している場所に近いエジェクタバーほぼ垂直になっている請求項７に記載のクリーニング装置。
【請求項９】
前記１つの作動戻り部材の一端は１つの前記本体部分の後縁に接続されている請求項６に記載のクリーニング装置。
【請求項１０】
前記１つの作動戻り部材の一端は、前記刃の切断縁に平行な軸線と鋭角を形成している請求項９に記載のクリーニング装置。
【請求項１１】
前記安定化組立体部分は、それを貫通する複数の開口部を有する請求項１に記載のクリーニング装置。
【請求項１２】
前記安定化組立体部分に形成された前記開口部の各々は、円形穴の少なくとも半分を形成している請求項11に記載のクリーニング装置。
【請求項１３】
前記エジェクタバーの外端は、ガイドタブを形成するように切り欠かれている請求項１に記載のクリーニング装置。
【請求項１４】
前記ガイドタブは前記刃の前記切断縁の露呈部分を越えて伸びている請求項13に記載のクリーニング装置。
【請求項１５】
前記ガイドタブは、前記ひげそりくずを放出した後、前記エジェクタバーを前記引っ込み位置に案内するように作用する請求項14に記載のクリーニング装置。
【請求項１６】
外端に近い前記エジェクタバーの厚さは、前記エジェクタバーの前進運動を容易にするように薄くなっている請求項１に記載のクリーニング装置。
【請求項１７】
前記エジェクタバーは、第１の厚さからその外端に近い第２の厚さに傾斜している請求項16に記載のクリーニング装置。
【請求項１８】
前記クリーニング装置は、１つのユニットとして一体的に形成されている請求項１に記載のクリーニング装置。
【請求項１９】
前記エジェクタバーは、非直線的な前縁を有する請求項１に記載のクリーニング装置。
【請求項２０】
キャップ刃及びシート刃を有する２枚刃の湿式ひげそり用可撓性カミソリユニットからひげそりくずを除去し、前記両刃の各々は、ひげそり用の切断縁を有し、前記カミソリユニットは前記切断縁に平行な方向の中央に固定された固定ポストを有する、ワンプッシュ型クリーニング装置であって、該クリーニング装置は、
前記刃と重なり、付勢位置と非付勢位置との間で作動可能なエジェクタバーであって、前記付勢位置は、前記エジェクタバーが前記キャップ刃の切断縁の前方に前進する位置であり、前記非付勢位置は、前記キャップ刃の前記切断縁の後方に引っ込む位置であるエジェクタバーと、
前記バーを前進させて前記くずを放出するために使用者によって作動可能なようにエジェクタバーに固定されているアクチュエータと、
前記カミソリユニットに連結され、カミソリユニットがたわむ間に前記両刃の切断縁に平行な方向のずれ動きに適応するように形成され、前記両刃を互いに隔離する安定化組立体部分とを有し、
前記カミソリユニットは、複数のリビングヒンジによって相互に接続されている複数の刃プラットフォームを備え、中央に配置された刃プラットフォームを有し、前記エジェクタバーのみが前記中央に配置された刃プラットフォームに隣接したリビングヒンジを横断し、
前記アクチュエータは、前記エジェクタバーと一体的に形成され、かつ、前記固定ポストを受けるために前記刃の切断縁にほぼ直角な方向に伸びて中央に配置されたスロットを有する、クリーニング装置。
【請求項２１】
前記ひげそりくずを放出した後に、前記エジェクタバーを前記非付勢位置に戻すために、前記エジェクタバーと前記安定化組立体部分とを弾性的に接続する接続装置を有する請求項20に記載のクリーニング装置。
【請求項２２】
前記接続装置は、一対の作動戻り部材を有する請求項21に記載のクリーニング装置。
【請求項２３】
前記作動戻り部材の本体は、作動中前記部材に生じる応力を小さくするためにドッグレッグ形状を有する請求項22に記載のクリーニング装置。
【請求項２４】
キャップ刃及びシート刃を有し、前記両刃の各々は、ひげそり用の切断縁を有し、前記切断縁に平行な方向の中央に固定された固定ポストを有する２枚刃の湿式ひげそり用可撓性カミソリユニットであって、該可撓性カミソリユニットは、
前記キャップ刃及び前記シート刃が間に配置された可撓性キャップ部分及び可撓性シート部分と、
前記キャップ刃とシート刃の間に配置されたクリーニング装置をと有し、
前記クリーニング装置は、
前記両刃と重なり、付勢位置と非付勢位置との間で作動可能なエジェクタバーであって、前記付勢位置は、前記エジェクタバーが前記キャップ刃の切断縁の前方に前進する位置であり、前記非付勢位置は、前記キャップ刃の前記切断縁の後方に引っ込む位置であるエジェクタバーと、
前記エジェクタバーを前進させて前記くずを放出するために使用者によって作動可能なようにエジェクタバーに固定されているアクチュエータと、
前記カミソリユニットに連結され、カミソリユニットがたわむ間に前記刃の切断縁に平行な方向のずれ動きに適応するように形成され、前記両刃を互いに隔離する安定化組立体部分と、
前記ひげそりくずを放出した後前記エジェクタバーを前記非付勢位置に戻すために前記エジェクタバーと前記安定化組立体部分を弾性的に接続する接続装置とを有し、
前記アクチュエータ及び前記接続装置は、前記中央に固定された固定ポストに阻げられることなく前記エジェクタバーが動き得るように形成され、
前記アクチュエータは、前記エジェクタバーと一体的に形成され、
前記固定ポストを受けるために前記刃の切断縁にほぼ直角な方向に伸びて中央に配置されたスロットを有する、可撓性カミソリユニット。
【請求項２５】
前記安定化組立体は、一対の対向する本体部分を有する請求項24に記載のカミソリユニット。
【請求項２６】
前記接続装置は、一対の作動戻り部材を有する請求項25に記載のカミソリユニット。
【請求項２７】
前記作動戻り部材の本体は、作動中前記作動戻り部材に生じる応力を小さくするためにドッグレッグ形状を有する請求項26に記載のカミソリユニット。
【請求項２８】
前記１つの作動戻り部材の一端は１つの前記本体部分に接続されており、前記１つの前記作動戻り部材の他端は前記エジェクタバーに接続されている請求項26に記載のカミソリユニット。
【請求項２９】
前記１つの前記作動戻り部材の他端は、前記アクチュエータが前記エジェクタバーに接続している場所に近い場所で前記エジェクタバーに接続されている請求項28に記載のカミソリユニット。
【請求項３０】
前記１つの作動戻り部材の一端は１つの前記本体部分の後縁に接続されている請求項28に記載のカミソリユニット。
【請求項３１】
前記クリーニング装置は、１つの部品として一体的に形成されている請求項24に記載のカミソリユニット。
【請求項３２】
前記エジェクタバーは、非直線的な前縁を有する請求項24に記載のカミソリユニット。
【請求項３３】
前記キャップ部分は、前記両刃、前記クリーニング装置及び前記シート部分の複数の通路を貫通する複数のポストを有する請求項24に記載のカミソリユニット。
【請求項３４】
前記両刃は前記カミソリユニットがたわむ間に前記ポストの少なくとも１つに対して側方に可動である請求項33に記載のカミソリユニット。
【発明の詳細な説明】
発明の背景
本発明は、湿式ひげそり用可撓性カミソリユニットのクリーニング装置に関し、特に、可撓性の２枚刃の湿式ひげそり用カミソリユニットのワンプッシュ型クリーニング装置に関する。
最近、使い捨てカミソリ及びカミソリのような２枚刃の湿式ひげそり用カミソリユニットがよく使用されるようになってきた。これらのカミソリユニットの刃は互いに間隔を置いて固定され、所望の刃の形状を形成する。ひげそり中、くず、例えば、ひげのきりくず、シェービングクリーム、セッケン等が刃の間に詰まる。このようなひげそりくずがひげそりの効果を低下させるので、ひげそり中及びひげそり後にこの間隙からくずを除去するために種々の装置が提案された。
例えば、米国特許第3,972,114号,4,047,296号,4,226,019号,4,205,437号及び4,344,227号は、ひげそり中に２枚刃のカミソリユニットの刃の間に詰まったくずを除去するために種々のクリーニング装置を開示している。しかしながら、これらのクリーニング装置は、剛性の２枚刃の湿式ひげそり用カミソリユニットと使用するように設計されており、従って、新しく導入された可撓性の２枚刃の湿式ひげそり用カミソリユニットと使用するためには適当でない。
特に、従来技術の剛性の２枚刃の湿式ひげそりユニットは、典型的には刃を突き抜けキャップ部分をシート部分に接続する２つの固定ポストによって設計される。これらのカミソリユニットは、剛性に設計されており、４つの固定ポストの使用は、ひげそり中に所望の刃の形状にカミソリユニットの部品を維持するのに十分である。同時に、４つの固定ポストのみを使用することは、カミソリユニットの中央部分をクリーニング装置を受けるように自由に解放する。例えば、米国特許第4,205,437号及び米国特許第4,344,227号に示されたカミソリユニットは、双方とも４つの固定ポストを使用してその部品を相互に接続し、所望の刃の形状を維持する剛性のカミソリユニットである。
しかしながら、最近、可撓性カミソリユニットが市場に出回っている。この可撓性カミソリユニットは、ひげそり分野において著しい進歩を呈し、カミソリユニットがひげそり中に出合う力に応答してたわむことができ、それによって、カミソリユニットをひげをそる面の自然の輪郭に適応することができるようにし、刃の大部分をひげをそる面に有効に接触させて切断することができる。しかしながら、最近導入された可撓性カミソリユニットの場合、カミソリユニットがたわむときカミソリユニットがその刃の形状を確実に維持するように中央に固定されたポストを使用することが必要となる。
米国特許第4,854,043号（又は特公平６−67416号公報）に示されるように、可撓性カミソリユニットの早期の設計において、１つの中央に固定された固定ポストを含む３つの固定ポストを使用する。しかしながら、３つの固定ポストのみを使用することは、ひげそり中にカミソリユニットがたわむ間所望の刃の形状を確実に維持するには不十分である。その結果、１つの中央に固定された固定ポストを含む５つの固定ポストを使用する改良された形状が設計された。
互いに離れた矩形のスペーサから刃を空けるスペーサを使用するこの改良された形状は、比較的に高さが低く、軽量で、所望の商業的な利点を所持する特性を有するように設計され製造される。要するに、市場は所望のひげそりを行う「スリム」なカートリッジに関連するようになってきた。クリーニング装置に関しては、この「スリム」な形状を維持することは、現在の可撓性湿式ひげそり装置ユニットに使用することができる適当なクリーニング装置を設計する際にかなりの困難性を呈する。
前述したように、中央に固定された固定ポストは、可撓性カミソリユニットの重要な部品である。しかしながら、このようなポストを含むことは、適当なクリーニング装置の設計に対する大きな課題となる。特に、クリーニング装置のエジェクタバーは、中央に固定された固定ポストが存在する際にも前進後退運動が可能にならなければならない。これは、アクチュエータ及び付勢戻り部材の双方が、この固定ポストに関して作動可能でなければならないことを意味する。さらに、クリーニング装置は、カミソリユニットの「スリム」な形状を維持するように設計されなければならない。
上述したような従来技術において、米国特許第4,344,227号に示されたクリーニング装置も米国特許第4,205,437号に示されたクリーニング装置も中央に固定された固定ポストを有するカミソリユニットと共に使用することはできない。他の参考例は、所望の設計と言う点で少し不利な種々のクリーニング装置を示す。
例えば、米国特許第3,972,114号は、２枚刃カミソリユニットの刃の間に配置されている「のこぎり」状のクリーニング装置を示している。ひげそり中及び／またはひげそり後に、クリーニング装置は側方から側方に、すなわち、刃の縁部に平行な方向に移動させることによって作動される。この作動は、２つの手、カミソリユニットを保持する手と、クリーニング装置を作動させる手が必要になる。この特許において、ひげそり中にこの作用が刃の間に詰まったくずを除去することが示されている。
次に、米国特許第4,226,019号及び米国特許第4,047,296号の双方は、小さい矩形状のスペーサを包囲する矩形のクリーニング装置を開示する。このような設計は可撓性カミソリユニットと共に使用するときには都合が悪い。なぜならば、貫通する固定ピンを有する矩形のスペーサは、もしそれをなくさなければ、このようなユニットの可撓性を著しく小さくするからである。この技術分野でよく知られているように、可撓性カミソリユニットの両端の間の直線距離はユニットがたわむときに減少する。上述した参考例に置けるスペーサの設計は、ユニットがたわんだとき、カミソリユニットの個々の部品が互いに関して横断するように移動することを制限するか移動できなくする。さらに、この設計によれば、エジェクタバーを引っ込み位置に付勢する余り好ましくない装置を提供する。従って、中央に固定された固定ポストを有する「スリム」な可撓性の２枚刃の湿式カミソリユニットに使用するクリーニング装置を提供することが望ましい。このクリーニング装置は、装置の可撓性を小さくしないように設計しなければならない。
発明の要約
本発明は、２枚刃の可撓性の湿式ひげそり用カミソリユニットからひげそりくずを除去するワンプッシュ型クリーニング装置を提供することによってこの技術分野における必要性に答えるものである。カミソリユニットは、キャップ及びシート刃を有し、刃の各々は、ひげそり用の切断縁を有する。また、カミソリユニットは中央に固定された固定ポストを有する。クリーニング装置は、刃と共に延伸しており、付勢位置と非付勢位置との間で作動可能なエジェクタバーであって、前記付勢位置は、前記エジェクタバーが前記キャップ刃の切断縁の前方に前進する位置であり、前記非付勢位置は、前記キャップ刃の前記切断縁の後方に引っ込む位置であるエジェクタバーを有する。クリーニング装置は、前記バーを前進させて前記くずを放出するために使用者によって作動可能なようにエジェクタバーに固定されているアクチュエータを有する。クリーニング装置は、カミソリユニットに連結された安定化組立体部分を有し、安定化組立体部分は、カミソリがたわむ間に前記刃の横方向（刃縁に平行な方向）の動きに適応するように形成されている。エジェクタバー、前記アクチュエータ及び前記安定化組立体部分は、前記中央に固定された固定ポストの存在において、前記エジェクタバーの動きに対応するように形成されている。
本発明の好ましい実施例において、クリーニング装置は、エジェクタバーを付勢位置に移動させるためにエジェクタバーと一体的に形成されたアクチュエータを有する。好ましくは、アクチュエータは、中央に固定された固定ポストを受けるために刃の切断縁にほぼ直角な方向に伸びている中央に配置されたスロットを有する。
好ましい実施例において、刃は、前記安定化組立体部分によって互いに離れている。安定化組立体は、一対の対向する本体部分を有することが好ましい。
好ましい他の実施例において、クリーニング装置は、ひげそりくずを放出した後に、エジェクタバーを前記非付勢位置に戻すために、前記エジェクタバーと前記安定化組立体部分を付勢するように接続する装置を有する。戻し装置は、一対の作動戻り部材を有することが好ましい。１つの作動戻り部材の一端は１つの前記本体部分の後縁に接続されており、刃の切断縁に平行な軸線と鋭角を形成している。１つの前記作動戻り部材の他端は、前記アクチュエータが前記エジェクタバーに接続している場所に近い場所で前記エジェクタバーに接続されている。好ましい実施例において、作動戻り部材の他端は、前記アクチュエータが前記エジェクタバーに接続している場所に近いエジェクタバーにほぼ垂直になっている。
好ましい実施例において、安定化組立体部分は、それを貫通する複数の開口部を有する。好ましくは、安定化組立体部分に形成された前記開口部は、円形穴の少なくとも半分を形成している。
さらに好ましい実施例において、クリーニング装置は、その外端に近いエジェクタバーの厚さが小さくなるように形成される。好ましくは、エジェクタバーは、第１の厚さからその外端に近い第２の厚さまで傾斜している。最後に、クリーニング装置は、１つのユニットとして一体的に形成される。
他の好ましい実施例において、アクチュエータ及びエジェクタバーは、最大限にたわむ領域で連続的な熱可塑性本体の量を最小限にするように形成される。
また、本発明は、２枚刃の可撓性のキャップ及びシート刃を有する湿式カミソリユニットを提供し、刃の各々はひげそりようの切断縁を有する。この湿式ひげそり用カミソリユニットは、それを貫通する中央に固定された固定ポストを有し、可撓性キャップ部分と、可撓性シート部分とを有する。刃はキャップ部分とシート部分との間に配置されている。また湿式ひげそり用カミソリユニットは、キャップとシート刃の間に配置されたクリーニング装置を含む。クリーニング装置は、少なくとも１つのエジェクタバーを有し、このエジェクタバーは、キャップ刃の切断縁の後方の引っ込み位置からキャップ刃の切断縁の前方の前進位置まで選択的に可動である。
従って、本発明は、装置の可撓性を低減しない可撓性の２枚刃の湿式ひげそり用カミソリユニットのクリーニング装置を提供する。このクリーニング装置は、「スリム」な設計の湿式ひげそり用のカミソリユニットと共に使用する。またこの同じクリーニング装置は、中央に固定された固定ポストを有する可撓性の湿式ひげそり用カミソリユニットにも使用可能である。
【図面の簡単な説明】
第１図は、わずかにたわんだ形状の本発明による可撓性カミソリユニットの斜視図である。
第２図は、第１図の可撓性カミソリユニット分解斜視図である。
第３図は、本発明のクリーニング装置の拡大斜視図である。
第3a図は、第１図の一部を断面で示した拡大詳細図である。
第3b図は、第３図の線３−３に沿って切ったエジェクタバーの断面図である。
第４図は、引っ込み位置のクリーニング装置を示す第１図の線４−４に沿って切った可撓性カミソリユニットの断面図である。
第５図は、クリーニング装置を前進した位置で示した第４図と同様の断面図である。
第６図は、本発明のクリーニング装置の他の実施例の平面図である。
発明の詳細な説明
図面を参照すると、可撓性の２枚刃の湿式ひげそり用カミソリユニット10が示されている。容易に分かるように、カミソリユニット10は、シート部分12と、キャップ部分14及び一対の刃、すなわち、シート刃16及びキャップ刃18を含む部品の組立体である。刃の間にクリーニング装置20が配置されており、キャップ刃18の切断縁の引っ込み位置からキャップ刃18の切断縁の前方の前進位置まで選択的に可動である。一本の指を動かすことによって簡単に達成される動きは、ひげそり中に典型的に刃の間に詰まるくずを除去する。
キャップ部分14は、刃の縁部のほぼ垂直に形成された複数の溝22を有する。これらの溝22は、キャップ部分に形成されてカミソリユニットの可撓性を大きくする。
シート部分12は、複数のガードバー部分24を有する。このガードバー部分24は、ユニットの全体の「刃の形状」の一部を形成し、カミソリユニットの可撓性を大きくするために相互に結合された別々の部品として設計されている。第２図を参照すると、本発明の好ましい実施例は、分解された形態で示される。容易に分かるように、クリーニング装置20は、シート刃16とキャップ刃18との間に配置されている。このサブ組立体（すなわち、シート刃16,クリーニング装置20及びキャップ刃18）は、シート部分12とキャップ部分14との間に配置されている。
シート部分12は、リビングヒンジ28によって相互に接続されている刃のプラットフォーム26を有する。リビングヒンジ28は、個々の刃のプラットフォームが互いに独立にたわむことができるようにする。さらに、刃のプラットフォームの各々は、面取り受け穴30を有する。ガードバー部材24は、刃のプラットフォームに固定される。さらに、ガードバー部材24は、ガードバーレール32によって接続されている。
キャップ部分14は、中央に固定された固定ポスト34′を有する、下方に伸びている複数の固定ポスト34を備えている。ポスト34は、シャフト36と球根上の端部38を有する。ポスト34は刃のプラットフォーム26の穴に受け入れられる前にキャップ刃、クリーニング装置及びシート刃の対応する穴の組を貫通するように形成される。球根状の端部が穴30を貫通すると、キャップ部分14は、シート部分12に固定され、その間に刃とクリーニング装置を固定する。
可撓性カミソリユニットの端部の間の直線距離は、ユニットがたわむときに小さくなることはこの技術分野で知られている。この観点において、このようなカミソリユニットの個々の部品は互いに横断するように動くことができなければならない。例えば、刃のプラットフォーム26を接続するリビングヒンジ28は、カミソリユニットのシート部分がキャップ部分と共に作用してたわむことができるように十分な「横方向の遊び」を提供する。
シート及びキャプ部分の間に配置されている刃に関しては刃の各々に対向している矩形の一対の開口部が形成されている。製造の目的に必要な矩形の開口部は、カミソリ刃がたわむとき、刃の横方向の動きが可能になる。さらに矩形の開口部は、固定ポット34の直径にほぼ等しい幅Ｗが形成されている。これは、刃の切断縁がひげそり中に互いに平行になることを保証する。
また刃の各々は、固定ポスト34′の軸36′を受けるような大きさの中央の円形穴42と、固定ポスト34の軸36の直径よりわずかに大きい大きさの一対の包囲する円形穴44とを有する。繰り返しになるが、たわんでいる間、大きな穴44は、（カミソリユニットの他の部品に関して）刃の横方向の運動を可能にする「横方向の遊び」を形成する。（このようなカミソリユニットの中心の）カミソリユニットの部品は、中央に固定されたポストを受けるためにシート及びキャップ刃の双方の穴42によって常に連結される。
クリーニング装置を参照すると、このようなクリーニング装置は、このユニットがたわむとき、（互いに関して）カミソリユニットの部品の横方向の運動を許容することができなければならない。このような要求は、刃に穴を形成する場ように、大きすぎる穴を備えたクリニーング装置を提供することが不可能であるという通常にはない問題を提起する。この制限に対する理由は、固定された前進／後退の向きに安定化組み立て部分46を維持する必要性を含む。
好ましい実施例において、安定化組立体部分46は、特に、刃の間隔を空けるように作用する対向する一対の本体部分48を有する。これらの本体部分は、たわんでいる間、カミソリの他の部品と共に作用するように横方向に移動し、同時に、前方／後方に、すなわち、刃の切断縁に垂直な方向に移動することが防止されなければならない。
この問題は、このクリーニング装置の設計によって解決されている。特に、本体部分48の各々は、固定ポスト34が通過することができる一対の開口部50を含む。しかしながら、刃に形成された対応する穴と異なり、開口部50はそれらが固定ポストを包み込むように形成される。これは、このような開口部50が（エジェクタバーが前方に移動することに抵抗するように）作動するとき、クリーニング装置全体が前方に移動することを防止する。もしクリーニング装置の全体が前方に移動するならば、エジェクタバーを引き戻す作用が行われなくなる。
本発明の好ましい実施例において、第３図に最もよく示すようなクリニーング装置20は、双方の刃の平面と平行な平面のエジェクタバー52と、アクチュエータボタン56を有するアクチュエータ54と、エジェクタを引っ込み位置に付勢するために一対の作動戻り部材58とを有する。好ましくは、アクチュエータ54は、カミソリユニットの中央部分に配置されている。
本体部分48の横方向の動きに関しては、このような運動はクリニーング装置の設計によって可能である。さらに詳細には、作動戻り部材58の形状及び向きは、このようなユニットがたわむとき、本体部分の各々がカミソリユニットの他の部品と共に作用して横方向に移動することができるようにする。この動きの方向は第３図に矢印によって示されている。
安定化組立体部分は、前方／後方（すなわち、刃の縁部に垂直な方向）に移動することはできないが、開口部50の各々は、少なくとも穴の1/2を構成して、固定ピンを確実に包囲するようにする。カミソリユニットに関するこれらの開口部の場所は、このようなユニットのあらかじめ存在する形状によって固定される。この好ましい可撓性カミソリユニットの現在の設計において、矩形のエジェクタバーが望ましいと仮定すると、組立体の断面において完全な円形の穴を含む十分な余地はない。従って、本発明は、矩形のエジェクタバーを使用することを可能にしながら、クリニーング装置を現在の可撓性カミソリユニットに組み込むことを可能にする。
アクチュエータ54は、エジェクタバー52と一体的に形成されている。アクチュエータ54のアクチュエータボタン56の前方への力Ｆが刃の露呈縁部に垂直に及びそれに向かう方向にエジェクタバー52を前方に移動するように作用する。エジェクタバー52のこの前方運動は、ひげそり中に刃の間に詰まったひげそりくずを除去する。この観点において、アクチュエータ54は、中央の長手方向のスロット60を備えており、このスロット60は、中央に固定された固定ポスト34′が存在するときにもアクチュエータ、エジェクタバーの前方の動きを可能にする。
エジェクタバーを前進位置から引き込むことは、作動戻り部材58によって達成される。解放された状態において、作動戻り部材は、第３図に示す形状をとる。しかしながら、装置がそれを前方に押すことによって作動されるとき、作動戻り部材58は、それらが戻りばねとして作用し、装置を第３図に示す解放された形状に戻るように引くように変形される。
図示するように、各作動戻り部材58は、前方接続部分62を有し、図示した実施例によれば、エジェクタバーの長手方向の軸線にほぼ垂直方向に配置される。この形状は、中央に固定された固定ピン34′がある場合にも戻り部材58を作動させることができる。各前方接続部分62は、アクチュエータ54がエジェクタバーと接合する点に非常に接近した場所でエジェクタバーに接続されていることが好ましい。これらの場所でエジェクタバーに付勢部材を接続することによって、スロット64が形成される。カミソリユニットが組み立てられたとき、スロット64は、中央に配置された刃のプラットフォームに隣接するリビングヒンジと整合する。このような方法でクリニーング装置を設計することによって、最大限のたわみの領域にわたって連続的な本体の量が最小限になる。その結果、カミソリユニットのたわみへの抵抗が小さくなる。
また付勢部材の各々は、後方の接続部分66を有し、これは、作動戻り部材を安定化組立体部分に接続する。後方の接続部分66は、これらの部分の横方向の動きを容易にするように、エジェクタバーの長手方向の軸線に関して所定の角度で本体部分48の後縁に接続されている。前方の接続部分62及び後方の接続部分66は、ドッグレッグ形状部材68によって接続されている。この設計は、作動の後に第３図に示すような形状にアクチュエータを戻すために戻りばね、例えば板ばねとしてドッグレッグ形状部材68が作動することができるようにする。
好ましい実施例において、エジェクタバー52の側縁は、案内タブ70を生じるように切りかかれている。第3a図を参照すると、案内タブ70は、刃の露呈部分を越えて、カミソリユニットの側方領域に伸びている。案内タブ70は、常時これらの側方の領域内で移動されるので、クリニーング装置の作動の後に、エジェクタバーをその引っ込み位置に案内するように作用する。
第3b図を参照すると、エジェクタバー52の外端72の厚さは、その中央のエジェクタバーの厚さより薄い。要するに、エジェクタバーの外端は厚さX1から薄い厚さX2に傾斜しており、エジェクタバーの適当な作動を保証するようにエジェクタバーを設計する必要がある。特に、エジェクタバーの外端とエジェクタバーの中央部分との間の距離は、すなわち、それがアクチュエータ54に接触する距離は、相対的な意味で大きな距離である。もしエジェクタバーが一定の厚さに製造されるならば、これらの外側の部分で張り付き、作動時にクリーニング装置がこの点の周りで曲がる。これらの外側の場所でエジェクタバーの厚さを小さくすることによって、エジェクタバーを移動するのに必要な力は、特にその外端で著しく小さくなる。
明らかにする目的でクリニーング装置20の異なる部材を説明する。しかしながら、本発明の好ましい実施例によれば、クリニーング装置全体は、例えば成形によって、一回の製造工程で成形する。特に、多数のブレークアエイタブ74はカミソリユニットの組み立て中に、これらの部品を安定させるために、エジェクタバー及びスペーサと一体的に形成される。ブレークアェイタブ74は、カミソリユニット組立体の完了時にアクチュエータボタン56に加えられた前方の力（例えばＦ）がタブを容易に破壊し、それによってエジェクタバーからスペーサを分離するような方法で形成される。
第４図を参照すると、クリニーング装置20が正規の引っ込み位置にあるカミソリユニットが示されている。この状態において、エジェクタバーの前縁76は、キャップ刃の切断縁18の後方に配置されている。力Ｆが第５図に示すようにアクチュエータボタン56に適用されるとき、エジェクタバーは、前縁76がキャップ刃18の切断縁の前方になるまで前方に移動する。（前方の方向は、第５図に矢印Ｆで指示する。）エジェクタバーの前方への移動は、第５図に示すようなキャップ部分14の後方に接触するアクチュエータボタン56によって制限される。また、この動きは本体部材48の後縁80に接触する作動戻り部材58の内縁（第３図参照）によっても制限される。作動力が作動ボタンから解放されるときに、作動戻り部材58は、キャップ刃の露呈縁部の後方の正規の引っ込み位置にエジェクタバーを戻す。
アクチュエータ、作動戻り部材及びエジェクタバーの円滑な動きを容易にするために、これらの厚さを薄く形成する必要がある。現在の設計において、安定化組立体部分は、厚さの薄い部分が自由に動けるように厚さを厚くするように形成される。好ましくは、この部分は、約0.508ミリメートル（約0.02インチ）の厚さを有する。可動な部分を自由に動かすことができるように、これらの部分は、例えば約0.432ミリメートル（約0.017インチ）の厚さを有する。
クリニーング装置、すなわち、クリニーング装置20′の他の実施例を第６図に示す。この他の実施例によれば、クリニーング装置20′は、穴50′が完全にプラスティック材料で包囲されるように形成される。この設計はスペーサの幅を増大するので、この実施例のエジェクタバー52′は非直線形状に形成されている。図示したように、エジェクタバー52′は、スペーサの増えた幅を補償するために湾曲した前縁76′を有する。
本発明の他の実施例によれば、ひげそり補助剤が本発明のヘッドに組み込まれる。ひげそり補助剤は、カミソリユニットの一部、例えばキャップ部分14にひげそり補助剤を取り付ける段階または埋め込む段階を含むいくつかの異なる方法によって組み込むことができることは当業者には明らかであろう。
ひげそり補助剤を構成する例示的な材料は、次の１つまたはそれ以上の種々の組み合わせを有する。
A.カミソリユニットと皮膚との間の摩擦力を低減する潤滑剤、例えば、マイクロエンカプセルシリコンオイル、ポリウレタンポリビニルピロリドン  インターポリマー等。
B.カミソリ部分とひげそり面との間での摩擦を小さくする薬剤、例えば、100,000と6,000,000との間の分子量の範囲のポリエチレンオキシド、非イオン化ポリアクリルアミド、及び／または「ガーガム」のような植物材料から抽出された天然ポリサッカライド。
C.カミソリ刃をひげの間を容易に通すことができる髪の化学的な構造を変形する薬剤、例えば脱毛剤。
D.ひげそり中のカミソリ部分からひげと皮膚のくずを容易に洗い流すことができる洗剤、例えば、シリコン  ポリエチレンオキシド  ブロック  コポリマー及びソジウムローリルサルフェートのような洗剤。
E.微生物を殺し、皮膚の損傷及び擦過症を直す医薬品。
F.皮膚を柔らかく円滑にし、コンディショニングまたは改善する化粧品。
G.ひっかき傷及び切り傷によって生じる出血を抑制する血液凝固剤。
H.血管を収縮させ、ひげそり中刺激される皮膚から出るリンパ液のような体液の流れを止めるアストリンゼン。
本発明の好ましい実施例を説明したが、本発明の範囲を逸脱せずに種々の変更及び変形を行うことは当業者には明らかである。このような変形及び変更は本発明の範囲にある。
【図１】
0003588361.tif 000002
【図２】
0003588361.tif 000003
【図３】
0003588361.tif 000004
【図３ｂ】
0003588361.tif 000005
【図３ａ】
0003588361.tif 000006
【図４】
0003588361.tif 000007
【図５】
0003588361.tif 000008
【図６】
0003588361.tif 000009